(57)【要約】      （修正有）【課題】ＭＲＩ装置が発生する強磁気の影響を受けず、且つＭＲＩ装置の診断画像検出へ影響を与えない検診者と医師間の通信方式を提供する。【解決手段】ＭＲＩ装置内の強磁界環境で高解像度画像への影響を与えない非金属素材で構成された伝送路へ効率的な音声を伝送する事ができる音声発声出力を有した音声変換ユニット２４及び２５、さらに非金属材料で構成されたマイクロホン５６を介して検診者と医師とが双方向により音声で伝える事が出来る伝送路音声通信方式による手段を用いて問題解決を図る。【選択図】図２
2009195649.tif 000002
【特許請求の範囲】
【請求項１】
音声変換キャビティーの構成において音声制御を行う内部圧力を調整する音響調整窓を具備し尚且つ伝声管を通して伝声管ヘッドホーンあるいは伝声管イヤホーンへ広帯域周波数による高音質の音声及び音楽を空気伝播により伝送する方式において周波数帯域の異なったスピーカーを複数設けそれぞれのスピーカーの出力を効率的に空気伝播により伝送する為の伝声管にそれぞれの音声ダクトを設けマルチスピーカによる構成により伝声管ヘッドホーンあるいは伝声管イヤホーンへ高音質な音声及び音楽を伝える事が、出来る構成と特徴を有した音声通信装置。
【請求項２】
請求項１による音声変換キャビティーの構成において伝声管及び伝声管ヘッドホーンあるいは伝声管イヤホーンへ高音質な音声及び音楽を空気伝播により効率的に伝送させる為の手段として伝声管内部圧を伝声管の長さに応じてバランスさせる事が出来る空気孔を伝声管の任意位置に設けた事を特徴とした音声通信装置。
【請求項３】
伝声管の長さが、延びる事により空気伝播による音声及び音楽の伝送品質は低下する。高域音圧レベルは減衰し低域音圧レベルは増強されこの結果、音声の音圧バランスが、崩れ音声品質は劣化する。
音声及び音楽の伝送品質劣化軽減は音声変換キャビティー部に設けられている周波数帯域の異なった複数のスピーカーに伝声管音声出力レベルバランス可変抵抗をそれぞれに設け伝声管の長さに応じて低域音圧レベル及び高域音圧レベル調整を行う事により伝声管の長さが、変化しても高品質な音声及び音楽を空気伝播により伝送する事が、出来る特徴を有した音声通信装置。
【請求項４】
請求項１による音声変換ユニットを単数及び複数設置構成する事により音声及び音楽を伝声管を通してモノラル及びステレオで伝声管ヘッドホーンあるいは伝声管イヤホーンへ空気伝播により伝送する事が出来る事を特徴とした音声通信装置。
【発明の詳細な説明】
【技術分野】
【０００１】  本発明は、ＭＲＩ（Ｍａｇｎｅｔｉｃ  Ｒｅｓｏｎａｎｃｅ  Ｉｍａｇｉｎｇ  ｓｙｓｔｅｍ）磁気共鳴画像装置を使って検診者（患者）の診断中にＭＲＩ装置内で起こる様々な体調不良等が生じた場合その状態を迅速に医師へ音声で伝える事ができ更に医師から検診者への診断説明、指示等を同様に音声により迅速に伝える事が出来る音声通話装置に関する。
【背景技術】
【０００２】  近年、ＭＲＩ装置の普及により従来困難であった体内患部の細胞状況を容易に高解像度画像により迅速かつ正確に診断する事が、可能となり多くの病気の発見、治療、予防に大きく貢献する事が出来るようになった。【０００３】  従来、このような診断の多くはレントゲン装置（Ｘ線）、超音波装置、等を用いて診断が、行われてきたが、ＭＲＩ装置の普及により更に高度な医療診断が、可能となった。【０００４】  図１は従来のＭＲＩ設置ルーム５４と検診者の診断データーを画像診断コンピュータ１３に取込み診断を行うオペレーションルーム５５の構成を示したものである。【０００５】  ＭＲＩ設置ルーム５４は外部への磁気漏洩及び外部からの磁気ノイズ、及び電波漏洩、等の影響を受けないように強力な磁気遮蔽を有した遮蔽壁１１により周囲を覆いＭＲＩ装置１の診断画像へ様々な障害と影響を与えなえよう防止手段を行っている。【０００６】  ＭＲＩ装置１による検診者６の診断は移動ベッド７に頭部５をベッド進行方向４の向きに寝かし体が動かない状態を保持しＭＲＩ装置１の磁界エリア２内に発生している強力な磁力線３の矢印に対して９０度の角度で検診者６を移動させながら体内患部の細胞状態画像データーを出力する。【０００７】  ＭＲＩ装置１で検知出力された画像データーは通信線１０を介してオペレーションルーム５５に設置されている画像診断コンピュータ１３に送られ異常個所の診断が行われる構成となっている。【０００８】  オペレーションルーム５５にはＭＲＩ装置１の動作状況を常時監視する事が出来る監視窓１２が設けられ同時に検診者６の診断状態を監視する事が出来る。【０００９】  このような方法で検診者６の診断が行われるが、診断に要する時間は早くて１５分くらい長い場合は３０分以上の時間が、必要である。【００１０】  検診者６はこの診断時間の間、体を動かす事は診断画像へ影響を与えるために動く事が、出来無い状態となる。【００１１】  この診断時間が長くなる事により検診者６の苦痛は大きくこの間の時間を耐えなくてはならない。
この結果、検診者６の体調状況によっては閉所恐怖症、神経症、不安症、等の症状を招く事も発生し医師の注意疲労と検診者の疲労も大きな精神的負担となっている。【００１２】  従来のＭＲＩ装置１はこのような環境下において検診者６と医師との間で良好なコミュニケーションを図る有効な手段が、不足している事により検診者の苦痛が継続されている。【００１３】  これらの背景により検診者６は不安なく安心して診断を受ける事が、出来る音声通信装置の実現が望まれている。
【発明の開示】
【発明が解決しようとする課題】
【００１４】  ＭＲＩ装置１により診断を受ける検診者６は狭い移動ベッド７に診断終了までの時間体を動かす事が、出来ない状態で固定される。この為に検診者６の受ける疲労と苦痛は継続される。【００１５】  この為、検診者６と医師との間で常時良好なコミュニケーションが図られる音声手段を用いた通信装置が、可能になる事によりこれらの問題が、軽減される。【００１６】  しかし、検診者６と医師との音声手段による通信装置の実現にはＭＲＩ装置１の発生する特有の強磁気に対する対応に関しての課題解決が、必要である。【００１７】  ＭＲＩ装置１が設置されている環境内へは音声による通信可能なトランシーバ、有線電話、携帯電話、等の通信手段を用いた装置の設置はＭＲＩ装置１で診断検出する検診者６の診断画像へ誘導ノイズ、電波障害、等が、生じ良好な画像検出が、困難となる。【００１８】  更にＭＲＩ装置１は常時強磁気を発生させている為に近くに磁気感知する金属物質、等の近距離持込み及び接近はＭＲＩ装置１が発生する強磁気に影響され吸引によりＭＲＩ装置１への装置への危険な状態を引き起こす。【００１９】  この為にＭＲＩ装置１が発生する強磁気の影響を受けない素材構成で尚且つＭＲＩ装置１の診断画像検出へ影響を与えない音声通信装置の課題解決が、必要である。
【課題を解決するための手段】
【００２０】  本発明は上記、課題を図２及び図３の音声通信手段を用いて課題解決を図る。【００２１】    図２は本発明の音声通信装置のシステムダイアブロック図を示し図３は図１による従来のＭＲＩ設置ルーム５４におけるＭＲＩ装置１及びオペレーションルーム５５へ図２の手段による音声通信装置を設置した構成を示したものである。【００２２】  ＭＲＩ設置ルーム５４には音声通信ユニット（Ａ）１７が、オペレーションルーム５５には音声通信ユニット（Ｂ）２０が、設置され双方向で良好な音声通信を行う事が出来る構成を有している。【００２３】  ＭＲＩ設置ルーム５４とオペレーションルーム５５との間は非金属で構成された光ファイバーケーブル１９により接続され音声通信はこの光ファイバーを介して通信を行う。【００２４】  医師はオペレーションルーム５５のコントロールボックス３０に接続されているマイクロホン（Ａ）２２に向かって話す事により音声は音声制御ユニット（Ｂ）２９により増幅され光ファイバーモジュレータ（Ｂ）２８を経て光デジタル信号に変換される。【００２５】  変換された光デジタル信号は光ファイバーケーブル１９を介してＭＲＩ設置ルーム５４に設置されている音声通信ユニット（Ａ）１７の光ファイバーモジュレータ（Ａ）２７へ送信し受信される。【００２６】  光ファイバーモジュレータ（Ａ）２７は受信した光デジタル信号をアナログ信号に変換し音声制御ユニット（Ａ）２６へ送る事により音声信号は増幅され音声変換ユニット（Ｒ）２４及び音声変換ユニット（Ｌ）２５内のスピーカー（Ａ）３６及びスピーカー（Ｂ）３８により音声が、発声され伝声管（Ｒ）２６及び伝声管（Ｌ）１６に空気伝播により音声を出力させる。【００２７】  出力された音声は伝声管（Ｒ）１５及び伝声管（Ｌ）１６のパイプ内を空気伝播し検診者６が、装着している伝声管ヘッドホーン１４へ送られ医師の音声を伝える事が、出来る。
この伝声管（Ｒ）１５、伝声管（Ｒ）１６及び伝声管ヘッドホーン１４の各部の素材は全て非磁性体材料で構成されておりＭＲＩ装置１が、発生する強磁気と診断画像への影響は全くない。【００２８】  このような手段により医師からＭＲＩ装置１の強磁界環境内であっても診断中の検診者６は音声により適切な指示を得る事により安心して診断を受ける事が可能となる。【００２９】  更にオペレーションルーム５５のコントロールボックス３０には外部からの入力情報を提供する事が、出来る入力装置２３を有している。【００３０】  この入力装置２３はパーソナルコンピュータ、ＣＤプレヤー、ラジオ、等の接続が、可能である。
パーソナルコンピュータからは自動音声による検診者６へ検診内容の自動説明、更にはＣＤプレヤーによる音楽、又はラジオ放送、等の提供が、行える機能も具備する事が、出来る。【００３１】  検診者６から医師への音声通信はＭＲＩ装置１に設置されている非磁性体物質により構成されたマイクロホン（Ｂ）５６に向かって話す事により診断中であっても医師へ音声により伝える事が、出来る。【００３２】  検診者６の音声信号はマイクロホン（Ｂ）５６から音声制御ユニット（Ａ）２６へ入力され増幅され光ファイバーモジュレータ（Ａ）２７へ送られ光デジタル信号に変換される。【００３３】  変換された光デジタル信号は光ファイバーケーブル１９を介してオペレーションルーム５５の音声通信ユニット（Ｂ）２０に構成されている光ファイバーモジュレータ（Ｂ）２８へ入力されアナログ信号に変換される。【００３４】  アナログ信号に変換された音声信号は音声制御ユニット（Ｂ）２９により増幅器されコントロールボックス３０に接続されている音声モニタースピーカ２１により検診者６の音声を医師に伝える事が出来る。【００３５】  このような構成により検診者６と医師の双方が良好な環境において常時コミュニケーションを図る事が、可能となり不安なく安心して診断を受ける事ができる。
【発明の効果】
【００３６】  本発明は、以下に記載される特徴と効果を奏する。
医師と検診者６とのコミュニケーションが常時音声によって行われる事により閉所恐怖症、神経症、不安症、等の症状を招く事なく安心して診断を受ける事が、出来る。【００３７】  更に本、発明の音声通信装置は検診者６への診断内容等の説明を音声で自動説明する事が、可能で医師の負担も軽減され常時検診者６の音声による状況監視も行う事が、でき診断効率を上げる事が、可能となる。【００３８】  このようにＭＲＩ装置１の強磁気環境において検診者６の苦痛を軽減させ安心感を与える音声通信装置の実現は高度な医療現場においては今後更に重要と思われる。
【発明を実施するための最良の形態】
【００３９】  本発明を実施するための最良の形態を図４〜図１０に示し図１１〜図１６は音声通信装置の音声特性を示したものである。【００４０】  図４〜図８はＭＲＩ装置１の強磁界環境で医師の音声を伝声管（Ｒ）１５及び伝声管（Ｌ）１６を通して検診者６の装着している伝声管ヘッドホーン１４あるいは伝声管イヤホーン５７へ音声を伝達するための手段を有した音声伝播出力を発声する為の音声変換ユニット（Ｒ）２４及び音声変換ユニット（Ｌ）２５の構成を示したものである。【００４１】  図４の音声変換ユニット（Ｒ）２４の上面部には音響調整を行う為の音響調整窓３２と音響調整板３３が設けられた事を特徴としている。
この音響調整窓３２は伝声管（Ｒ）１５を通して音声を空気伝播させて伝声管へッドホーン１４あるいは伝声管イヤホーン５７へ音声を伝える音圧レベルの調整と音響特性調整を行う機能を有している。【００４２】  図５は音声変換ユニット（Ｒ）２４の音声発生部の構成を示したもので（Ａ）は伝声管１５の出力側を示し（Ｂ）はＡ−Ａ′断面により内部を示したものである。【００４３】  図６は音声変換ユニット（Ｒ）２４の音声を発声させる異なった周波数再生させる複数のスピーカー（Ａ）３６及びスピーカー（Ｂ）３８の構成を示す。【００４４】  図７は図５に示した音声変換ユニット（Ｒ）２４の断面による内部構成と伝声管１５によるスピーカーからの音声発声構成を示す。【００４５】  音声出力を担う複数のスピーカー（Ａ）３６及びスピーカー（Ｂ）３８はバッフル板３７へ設置固定されマルチドライブ手段により高音質が得られる構成により伝声管（Ｒ）１５へ空気伝播により高音質の音声を伝送する事を可能にしている。【００４６】  一例としてスピーカー（Ａ）３６は中低域の音声を、スピーカー（Ｂ）３８は高域の音性周波数再生を有し複数のスピーカーによりそれぞれの帯域による音声を出力させ広帯域再生による高音質の音声品質を得る事が、出来る構成を有している。【００４７】  この手段は本、音声通信装置の特徴であり音声の他、音楽、等の再生には有効である。
伝声管（Ｒ）１５は音声ユニット（Ｒ）２４からＭＲＩ装置１で診断を受ける検診者６の伝声管ヘッドホーン１４の位置までの距離を必要とする。【００４８】  伝声管（Ｒ）１５の内部はパイプ形状を有し音声はこの中を空気伝播して検診者６の伝声管ヘッドホーン１４に伝わる。
音声はこの伝声管（Ｒ）１５の太さ、距離、形状、等によりその空気伝播特性が、大きく異なり特に距離は音質性能の劣化に影響を与える。【００４９】  伝声管（Ｒ）１５の距離が、長くなれば音声品質は低下し良好な通信に障害を招く結果となる。【００５０】  音声通信装置は伝声管の距離が延びても音声通信品質を向上させる為に複数のスピーカーを用いてマルチドライブとそれぞれの複数スピーカーに伝声管（Ｒ）１５に接続した音声ダクト（Ａ）３９及び音声ダクト（Ｂ）４０を設け高音質な複数の周波数帯域を持ったスピーカー出力による音声を効率良く誘導し高品質な音声を検診者６の装着している伝声管ヘッドホーン１４へ空気伝播により送信する手段を有している。【００５１】  オペレーションルーム５５からの音声信号は光ファイバーモジュレータ（Ａ）２７に入力され音声制御ユニット２６により増幅されて音声変換ユニット２４のスピーカー（Ａ）３６及びスピーカー（Ｂ）３８へ入力されそれぞれの周波数帯域に応じた音声が、出力される。【００５２】  出力された音声はそれぞれのスピーカーの伝声管（（Ｒ）１５に設置されている音声ダクト（Ａ）３９及び音声ダクと（Ｂ）４０へ誘導されて出力された音声は合成されて音声出力方向３１へ空気伝播により伝送され検診者６の伝声管ヘッドホーン１４へ効率的に音声を到達させる事が、出来る。【００５３】  このような構成において伝声管ヘッドホーン１４へ伝送される音声出力の強さは音響調整板３３により調整を行う事が、出来る。
尚、音響調整板３３の位置を調整する事により最大の効率により音声を伝送する出力を得る事が、可能となる。【００５４】  音響調整窓３２を閉じる事によりキャビティ４１の内部圧力が増し伝声管ヘッドホーン１４での音声は低域が増強され更に開く事により低域は減少される。
音響調整板３３はこのような特性を有し伝声管の長さ、太さ、形状、等により音声特性の調整には有効な手段を有する。【００５５】  但し前記の音響調整板３３の手段のみでは伝声管（Ｒ）１５及び伝声管（Ｌ）１６の長さが、変化に対する音声品質劣化の改善は困難である。【００５６】  この為に音声変換ユニット（Ｒ）２４に設置されている音声を発声させる複数のスピーカーの出力レベルを伝声管の長さにより音圧レベル制御を行う事により高品質な音声を空気伝播により伝送する事が、可能となる。【００５７】  図７による音声変換ユニット（Ｒ）２４及び音声変換ユニット（Ｌ）２５のスピーカー（Ａ）３６及びスピーカー（Ｂ）３８のそれぞれの位置に伝声管への音声出力レベルをバランスさせる為のボリュームＡ（Ｈ）５８、ボリュームＢ（Ｌ）５９、ボリュームＣ（Ｈ）６０、ボリュームＤ（Ｌ）６１をそれぞれ設置する。【００５８】  伝声管による音声伝送の空気伝播特性は距離が、延びる事により低域が増強され高域が、減衰する為に音声の品質の悪化を招いている。【００５９】  この為に伝声管の距離に応じて音声変換ユニット（Ｒ）２４及び音声変換ユニット（Ｌ）２５のスピーカー出力レベル制御をそれぞれのスピーカーに接続されているボリュームで音圧を制御する事により低域、高域の音圧バランスが、取れる事により伝声管の距離が、変化しても高音質の音声を伝声管及び伝声管ヘッドホーンへ伝送する事が、可能となる。【００６０】  図１５に伝声管の空気伝播による音響特性を示す。伝声管特性（Ｈ）６２は高域の音圧レベル変化特性を現し伝声管特性（Ｌ）６３は低域の音圧レベル変化特性を示している。【００６１】  伝声管の距離が短い場合は低域の音圧レベルは低く距離が、長くなるに従い伝声管のパイプ共鳴と音声波長が、長い為に減衰が、遅くなり音声の届く距離が、長くなる。
逆に高域は距離が、短い場合は音圧レベルは高く距離が、長くなるに従い波長が、短い為に減衰が、早まり伝達距離が、短くなる。
伝声管はこのような空気伝播特性を有し距離が、長くなるに従って音声の音圧バランスが、崩れて低音域レベルが、残留し高音域レベルが、減衰する現象が起こる。
この為に音声の了解度が、悪くなり音声品質が、悪化する。【００６２】  図１６はこのような伝声管の距離変化により音声品質の悪化を補正する為に音声変換ユニット（Ｒ）２４及び音声変換ユニット（Ｌ）２５に設けられたスピーカー出力音圧レベル補正ボリュームによる出力補正特性を示したものである。【００６３】  出力レベル補正ボリュームＡ（Ｈ）５８及びボリュームＣ（Ｈ）６０を時計方向へ回転させる事により高域音声レベル６４は増強する。
更にボリュームＢ（Ｌ）５９及びボリュームＤ（Ｌ）６１を同じく時計方向へ回転させる事により低域音声レベル６５は減衰される【００６４】  このような手段により伝声管の距離変化に対応して複数のスピーカーの出力レベル補正を行う事により音圧レベルはバランスされ良好な音質で音声および音楽を伝声管ヘッドホーン１４及び伝声管イヤホーン５７で聞く事が、可能となる。【００６５】  図８に音声変換ユニット（Ｒ）２４と伝声管ヘッドホーン１４とを結ぶ伝声管（Ｒ）１５の結合構成を示す。
音声変換ユニット２４のバッフル板３７に設置固定されているスピーカー（Ａ）３６及びスピーカー（Ｂ）３８から出力される音声は伝声管（Ｒ）１５内部を空気伝播し伝声管ヘッドホーン１４のヘッドホーンキャビティ（Ｒ）４５から音声は音声出力方向３１へ出力され検診者６の耳に空気伝播し医師の音声を伝える事が、出来る。【００６６】  このように伝声管ヘッドホーン１４のヘッドホーンキャビティ４５と音声変換ユニット２４のキャビティ４１は伝声管（Ｒ）１５を通して密閉状態となり空気の流れが、阻害され音声の空気伝播効率と同時に音声の感度及び音声品質は低下する。【００６７】  このような現象は一般の伝声管パイプでは起こる現象で伝声管の長さが、長くなればこの音声品質特性は更に悪化する。【００６８】  本、発明の音声通信装置においては伝声管（Ｒ）１５による音声の伝播距離を得るために複数の異なった周波数を有しスピーカー（Ａ）３６及びスピーカー（Ｂ）３８を設けその周波数特性を生かし伝声管（Ｒ）１５による音声ダクト（Ａ）３９の手段により効率よく音声を伝播させる方式も有している。【００６９】  図１１に示した周波数特性）４８は１つのスピーカーを使って伝声管（Ｒ）１５に音声を空気伝播させた場合の音響特性を示したものである。
この特性は低域部と高域部のエネルギーが低減してしまう。【００７０】  図１２は広帯域再生を効率良く再生するため異なった複数の再生周波数を構成しマルチスピーカーにより高音質の特性を得る為に低域スピーカー特性４９及び高域特性を持ったスピーカー特性５０を構成し高音質の音声を再生するそれぞれの再生周波数の特性構成を示す。【００７１】  図１３は低域特性を有したスピーカー（Ａ）３６の低域スピーカー特性５１と高域特性を有したスピーカー（Ｂ）３８の高域スピーカー特性５２のそれぞれの単独特性を示したものである。【００７２】  図１４は図１３によるスピーカー（Ａ）３６及びスピーカー（Ｂ）３８を同時に動作させた時のマルチドライブによる周波数特性を示したものである。【００７３】  図９は伝声管ヘッドホーン１４の構成を示したもので図（Ａ）は左側面を図（Ｂ）はＥ−Ｅ′断面により内部構成を示したものである。
伝声管ヘッドホーンの音声特性を改善する手段として図９に示す伝声管（Ｒ）１５及び伝声管（Ｌ）１６の任意の位置に空気孔４４を設ける事により伝声管の空気伝播抵抗が、減少して音声の伝播効率が、アップし良好な音響特性を得る事が出来る。【００７４】  音声は伝声管（Ｒ）１５及び伝声管（Ｌ）１６の音声出力方向３１の向きに空気伝播により検診者６の耳に伝わる。
この伝声管ヘッドホーン１４は全て非磁性材料で構成されておりＭＲＩ装置１の強磁界環境での使用でも高精度な画像写真及びＭＲＩ装置１の強磁気吸引による危険性は全く無い。【００７５】  同様に図１０に示す伝声管イヤホーン５７も図９に示した伝声管（Ｒ）１５及び伝声管（Ｌ）１６の任意の位置に空気孔４４を設ける事により伝声管の空気伝播の空気抵抗が、減少し音声の伝播の効率が、アップし良好な音質改善が、図られる。【００７６】  伝声管イヤホーン５７はＭＲＩ装置１で頭部等の診断を行う場合に狭い空間の装置アダプターを使って診断する場合検診者が装着して医師の音声を聞く事が、出来る装置である。【００７７】  更にこの空気孔４４の設定位置、孔の大きさ、孔の数、等により音声の空気伝播効率が変わり同時に音響特性が変化しこのような空気孔４４の条件設定により高音質の音声品質の調整が可能となる。【００７８】  図１０の伝声管イヤホーンは伝声管（Ｒ）１５を右側の耳に装着し伝声管（Ｌ）１６を左側の耳に装着して医師の音声を聞く事が、出来る。【００７９】  尚、音声及び音楽は音声変換ユニット（Ｒ）２４及び音声変換ユニット（Ｌ）２５の構成数により１チャンネルモノラル、２チャンネルステレオで伝声管ヘッドホーン１４及びイ伝声管ヤホーン５７へ高品質な音声を伝送する事が、可能である。【００８０】  このような構成によりＭＲＩ装置が発生する強磁界環境で医師と検診者が、良好な環境で長時間診断が、出きる構成と特徴を有した音声通信装置の実現が図られる。
【産業上の利用可能性】
【００８１】  本、発明の音声通信装置は病院等で医師と検診者とが行う音声通信分野の他にＭＲＩ装置を使った新しい医学研究における脳神経系分野で人間の言語認識、脳の働き、更には微弱な信号を受信して脳の医学研究を行う為の検診者が使用する音声装置としての応用も期待されている。【００８２】  その他の産業分野におけるプラント、電力、工場、等における強磁界環境における通信分野への応用も考えられる。
【図面の簡単な説明】
【００８３】
【図１】従来の音声通信装置を有していないＭＲＩ設置ルームとオペレーションルームの構成を示す。
【図２】本、発明のＭＲＩ音声通信装置のシステムダイアブロック図の一例を示す。
【図３】従来の音声通信装置を有していないＭＲＩ装置に本、発明の音声通信装置を設置したＭＲＩ設置ルームとオペレーションルームの一例を示す。
【図４】本発明の音声通信装置の音声変換ユニット部の上部に音声調整窓と音声調整板を設けた状態の一例を示す。（Ａ）は音声変換ユニットの右側面を（Ｂ）は上面を表したものである。
【図５】音声変換ユニット部のＡ−Ａ′断面による内部構成を示す。（Ａ）は左側面を表したものである。
【図６】音声変換ユニット部のＢ−Ｂ′断面により音声を発声させるスピーカー配置の構成と伝声管の配置の一例を示す（Ａ）は左側面を表したものである。
【図７】図５による音声変換ユニット部のＡ−Ａ′断面により音声を発声させる為のスピーカー及び伝声管構成のユニットを複数構成した場合の一例を示す。
【図８】本発明による音声通信装置により検診者が医師の受信音声を聞く為の音声変換ユニット部に接続された伝声管ヘッドホーンの構成の一例を示す。
【図９】本発明の音声通信装置に用いる伝声管ヘッドホーンの一例を示す。
【図１０】本発明の音声通信装置に用いる伝声管イヤホーンの一例を示す。
【図１１】本発明の音声通信装置に用いる音声変換用スピーカーの特性の一例を示す。
【図１２】本発明の音楽通信装置に用いる低域スピーカー及び高域スピーカーの複合再生周波数領域を示した構成を示す。
【図１３】本発明の音楽通信装置に用いる音声変換ユニット部に複数のスピーカーを設置した場合のそれぞれのスピーカー出力特性の一例を示す
【図１４】本発明の音楽通信装置に用いる音声変換ユニット部に複数のスピーカーを設置した場合の総合スピーカー出力特性の一例を示す。
【図１５】本発明の音楽通信装置に用いる伝声管の音声伝播特性を示す。
【図１６】本発明の音楽通信装置に用いる伝声管へ音圧主力を補正するためのレベルバランス可変抵抗の特性を示す。
【符号の説明】
【００８４】  １．ＭＲＩ装置（Ｍａｇｎｅｔｉｃ  Ｒｅｓｏｎａｎｃｅ  Ｉｍａｇｉｎｇ  ｓｙｓｔｅｍ）
２．磁界エリア
３．磁力線
４．ベッド進行方向
５．頭部
６．検診者
７．移動ベッド
８．ベットバック方向
９．遮蔽床
１０．通信線
１１．遮蔽壁
１２．監視窓
１３．画像診断コンピュータ
１４．伝声管ヘッドホーン
１５．伝声管（Ｒ）
１６．伝声管（Ｌ）
１７．音声通信ユニット（Ａ）
１８．配管ダクト
１９．光ファイバーケーブル
２０．音声通信ユニット（Ｂ）
２１．音声モニタースピーカ
２２．マイクロホン（Ａ）
２３．入力装置
２４．音声変換ユニット（Ｒ）
２５．音声変換ユニット（Ｌ）
２６．音声制御ユニット（Ａ）
２７．光ファイバーモジュレータ（Ａ）
２８．光ファイバーモジュレータ（Ｂ）
２９．音声制御ユニット（Ｂ）
３０．コントロールボックス
３１．音声出力方向
３２．音響調整窓
３３．音響調整板
３４．スライドＡ方向
３５．スライドＢ方向
３６．スピーカー（Ａ）
３７．バッフル板
３８．スピーカー（Ｂ）
３９．音声ダクト（Ａ）
４０．音声ダクト（Ｂ）
４１．キャビティ
４２．ヘッドハウジング（Ｒ）
４３．ヘッドハウジング（Ｌ）
４４．空気孔
４５．ヘッドホーンキャビティ（Ｒ）
４６．ヘッドホーンキャビティ（Ｌ）
４７．クッション
４８．スピーカー特性
４９．低域スピーカー領域分担特性
５０．高域スピーカー領域分担特性
５１．低域スピーカー特性
５２．高域スピーカー特性
５３．マルチスピーカー特性
５４．ＭＲＩ設置ルーム
５５．オペレーションルーム
５６．マイクロホン（Ｂ）
５７．伝声管イヤホーン
５８．ボリュームＡ（Ｈ）
５９．ボリュームＢ（Ｌ）
６０．ボリュームＣ（Ｈ）
６１．ボリュームＤ（Ｌ）
６２．伝声管特性（Ｈ）
６３．伝声管特性（Ｌ）
６４．高域音声レベル
６５．低域音声レベル
【図１】
2009195649.tif 000003
【図２】
2009195649.tif 000004
【図３】
2009195649.tif 000005
【図４】
2009195649.tif 000006
【図５】
2009195649.tif 000007
【図６】
2009195649.tif 000008
【図７】
2009195649.tif 000009
【図８】
2009195649.tif 000010
【図９】
2009195649.tif 000011
【図１０】
2009195649.tif 000012
【図１１】
2009195649.tif 000013
【図１２】
2009195649.tif 000014
【図１３】
2009195649.tif 000015
【図１４】
2009195649.tif 000016
【図１５】
2009195649.tif 000017
【図１６】
2009195649.tif 000018